(57)【要約】【課題】ユーザの使用状況に合わせて、電源を制御する携帯端末装置を提供する。【解決手段】ＣＰＵ１３で携帯端末ユーザの着信履歴を集計し、ユーザの着信頻度や未使用の時間帯を割り出す。そして、その結果を元に電源ＯＮ／ＯＦＦ回路１２で、携帯端末情報装置の電源の切り替えを自動的に行う。【選択図】        図１
2004172982.tif 000002
【特許請求の範囲】
【請求項１】
現在の時刻をカウントする時計手段と、
電源をオフにする時刻および電源をオンにする時刻を記憶する記憶手段と、
前記時計手段でカウントされた時刻と、前記記憶手段に記憶された時刻とを比較する比較手段と、
前記比較手段からの出力信号により電源のオフ・オンの切り替えを行うスイッチ手段とを有する携帯端末装置において、
着信の有無を判定する着信判定を行うことにより、ユーザの着信履歴から着信がある時間帯と着信がない時間帯とを割り出す算出手段と、
前記算出手段の結果によって、前記着信がない時間帯になると電源をオフにし、着信がある時間帯になると電源をオンにする切り替えを行う制御手段とを有することを特徴とする携帯端末装置。
【請求項２】
前記着信判定は、間欠制御を使用することを特徴とする請求項１記載の携帯端末装置。
【請求項３】
前記着信判定は、着信がない場合には一定の時間間隔で判定を繰り返し、着信がある場合には着信処理の前に、前記着信履歴を前記記憶手段に記録することを特徴とする請求項１記載の携帯端末装置。
【請求項４】
前記算出手段は、前記時計手段がカウントする現在時刻から当該時刻テーブルのカウンタ値をカウントアップし、着信の有無の区別を単位時間ごとに集計することを特徴とする請求項１記載の携帯端末装置。
【請求項５】
前記着信判定は、着信がある場合には特別な動作をせず、着信がない場合は、電源をオフにする時間およびオンにする時間を設定することを特徴とする請求項３記載の携帯端末装置。
【請求項６】
前記間欠制御は、前記制御手段から出力されるコントロール信号によって停止および再開が行われることを特徴とする請求項２記載の携帯端末装置。
【発明の詳細な説明】
【０００１】
【発明の属する技術分野】
本発明は、ユーザの使用状況に合わせて電源をオンにしたり、電源オフにしたりする制御を行う携帯端末装置に関する。
【０００２】
【従来の技術】
携帯端末装置が普及し、個人が携帯電話機を持つ時代になった。そして、携帯電話機は無線通信に使用するので、携帯端末装置が端末自身から基地局に対して、一定時間間隔で自己の携帯端末機に対する着信判定を行う必要がある。
【０００３】
このため携帯端末装置では、間欠制御機能を保有し、一定時間間隔はスリープ状態となり、機能しないＬＳＩの電源をパワーオフにする。そして、一定時間経過後、ＬＳＩがパワーオンになり、処理が開始され着信判定を行う。もし着信がなければ、またスリープ状態に入る。以降同様の動作が繰り返される。
【０００４】
一方、もし自己の端末への着信があった場合、着信判定以降は受信処理へと制御が移行する。
【０００５】
上記の場合、夜間など全く着信のない時間帯、あるいは全く使用しない時間帯でも携帯端末装置内の間欠制御機能が動作している。
【０００６】
従来例として、データの送受信を行わない所定期間内に、できる限り多くの回路に対して電源供給を停止し、その再開の際にはシンボルクロック信号を前と同じ位相で供給できるデジタル携帯電話装置がある（例えば、特許文献１参照）。また、受信環境や操作中断状況に依存しない、ユーザ設定による省電力化が図れる携帯電話機がある（例えば、特許文献２参照）。また、待受状態にて電力消費を図り、待ち受け状態をユーザに知らしめる通信端末装置がある（例えば、特許文献３参照）。
【０００７】
【特許文献１】
特開２００１−１７７５９１号公報（１−５頁、図４）
【特許文献２】
特開平１１−８８２５２号公報（１−２頁、図１）
【特許文献３】
特開平１１−１５４８９９号公報（１−３頁、図１）
【０００８】
【発明が解決しようとする課題】
しかしながら、携帯端末装置では、間欠制御を行いながら着信判定を行うが、従来の構成の場合、依然として携帯端末機内部では、間欠制御回路が一定の時間間隔で動作するので待ち受け時間を改善するのは難しくなっている。
【０００９】
また、上述の従来例である特許文献１および３記載の通信端末装置は、待ち受け時の消費電力を低減させることはできるが、完全に電源をオフにすることはできず、また、電源のオン・オフを自動切り替えするものではない。また、特許文献２記載の携帯電話機においては、予めオン・オフ時間を設定するユーザ自身の操作を必要としなければならず、利便性に欠けるという問題があった。
【００１０】
本発明は上記事情に鑑みてなされたものであり、ユーザの着信履歴を集計し、そこから算出したデータを元に、ユーザが使用する頻度や使用する時間帯を割り出し、まったく使用しない時間帯において、携帯端末装置が装置自身の電源をオフにし、使用する時間帯になったら、携帯端末装置が装置自身の電源をオンにする携帯端末装置を提供することを目的とする。
【００１１】
【課題を解決するための手段】
かかる目的を達成するために、請求項１記載の携帯端末装置は、ユーザ自身が自分の使用時間帯を把握した上で、予め電源オフにする時刻と電源をオンにする時刻とを設定し、携帯端末内部の時計機能を参照しながら、電源をオフにする時刻になると携帯端末装置をオフにし、電源をオンにする時刻になると携帯端末装置をオンにする機能を有する携帯端末装置であって、ユーザが予め電源オン・オフ時刻を設定する操作を省略し、ユーザの着信履歴を集計し、その履歴から使用しない時間帯を算出する手段を有することによって、電源をオフにする時間およびオンにする時間を自動的に設定し、切り替えすることを特徴としている。
【００１２】
請求項２記載の携帯端末装置は、請求項１記載の携帯端末装置において、着信判定は、間欠制御を使用することを特徴としている。
【００１３】
請求項３記載の携帯端末装置は、請求項１記載の携帯端末装置において、着信判定は、着信がない場合には一定の時間間隔で判定を繰り返し、着信がある場合には着信処理の前に、前記着信履歴を前記記憶手段に記録することを特徴としている。
【００１４】
請求項４記載の携帯端末装置は、請求項１記載の携帯端末装置において、算出手段は、時計手段の現在時刻から当該時刻テーブルのカウンタ値をカウントアップし、着信の有無の区別を単位時間ごとに集計することを特徴としている。
【００１５】
請求項５記載の携帯端末装置は、請求項３記載の携帯端末装置において、着信判定は、着信がある場合には特別な動作をせず、着信がない場合は、電源をオフにする時間およびオンにする時間を設定することを特徴としている。
【００１６】
請求項６記載の携帯端末装置は、請求項２記載の携帯端末装置において、間欠制御は、制御手段から出力されるコントロール信号によって停止・再開が行われることを特徴としている。
【００１７】
【発明の実施の形態】
以下、本発明の実施の形態について、添付図面を参照しながら詳細に説明する。
【００１８】
まず、図１を参照にしながら全体構成を説明する。図１は本発明の一実施の形態を示す全体のブロック図である。ＣＰＵ１１、電源のＯＮ／ＯＦＦ制御を行う電源ＯＮ／ＯＦＦ回路１２、間欠制御を行う制御回路１３、ベースバンドＬＳＩ１４、無線部ＴＲＸ１５、アンテナ１６、バッファ１７、ＰＯＷＥＲ制御回路１８から構成される。そして、ベースバンドＬＳＩ１４、無線部ＴＲＸ１５、およびＰＯＷＥＲ制御回路１８の間欠制御を受け持つのがＣＰＵ１１、電源ＯＮ／ＯＦＦ回路１２、制御回路１３である。
【００１９】
ＣＰＵ１１は、ソフトウェアにて電源ＯＮ／ＯＦＦ回路１２、制御回路１３を制御する。そして、制御回路１３を介してベースバンドＬＳＩ１４、無線部ＴＲＸ１５、およびＰＯＷＥＲ制御回路１８を間欠制御する。この間欠制御をＯＮ／ＯＦＦするのが、電源ＯＮ／ＯＦＦ回路１２である。バッファ１７は、制御のプログラムがセーブされる。
【００２０】
図２は電源ＯＮ／ＯＦＦ回路１２の構成図である。タイマＸ２４は、現在時刻をカウントするタイマである。レジスタＸ２１は、電源ＯＦＦにする時刻がセーブされたレジスタである。比較器Ｘ２２でこの両者を比較し、同一時刻になったら信号を出力し、インターバル回路２３を動作させて後段の制御回路１３をディセーブルにする。
【００２１】
また、レジスタＹ２６は、電源ＯＮにする時刻がセーブされたレジスタである。比較器Ｙ２５でこの両者を比較し、同一時刻になったら信号を出力し、インターバル回路２３のインターバル動作を停止させて、後段の制御回路１３を起動させる。
【００２２】
このインターバル回路２３は、一定時間電源をＯＦＦにする機能と、一定時間ＯＮにする機能を持っている。
【００２３】
このインターバル回路２３を動作させるための時刻設定を行う基準となるものがテーブル２７である。このテーブル２７には、ユーザ自身が設定する電源ＯＦＦの時刻、あるいは電源ＯＮする時刻がセーブされる。また、後述のユーザの着信判定より割り出された結果により、電源ＯＦＦにする時刻、あるいは電源ＯＮにする時刻がセーブされている。
【００２４】
図３は、制御回路１３の構成を示す図である。制御回路１３には、タイマＢ３１とタイマＣ３４のタイマが実装されている。これらの２つのタイマで停止時間（スリープ時間）と起動時間をそれぞれカウントする。タイマＢ３１、タイマＣ３４はシーケンシャルに動作する。
【００２５】
すなわち、タイマＢ３１が動作中にレジスタＢ３２との比較を比較器Ｂ３３で行い、一致した後にタイマＣ３４がスタートする。タイマＣ３４が動作中にレジスタＣ３５との比較を比較器Ｃ３６で行い、一致した後に制御パルスが出力される。
【００２６】
このレジスタＣ３５と比較器Ｃ３６の組み合わせを複数実装することで、制御パルスを複数出力することができる。すなわち、必要な信号の種類だけレジスタと比較器を増設していけば良い。
【００２７】
図４は、着信履歴を集計する手順を示すフローである。通常の携帯端末装置は、ユーザが何も操作しない間は着信判定の処理が繰り返される。この着信判定には、間欠制御が使用される。間欠制御は、スリープ時間と着信処理時間から構成される。着信処理時間は携帯端末装置内に搭載された、ＬＳＩを起動し、基地局からの信号を受信し、自携帯端末装置への着信があるかどうかの判定を行う。
【００２８】
一方、スリープ時間は必要最小限のデバイスのみが動作して、今現在動作しなくても良いデバイスは停止状態になっている時間帯をいう。この間欠制御にて処理が繰り返される着信判定にて、着信があるかどうかを判定する。
【００２９】
もし、着信がない場合は（Ｓ１０１／ＮＯ）、一定の時間間隔で着信判定を繰り返す。もし着信判定があった場合は（Ｓ１０１／ＹＥＳ）、以降着信の処理に移行するが、その前に着信履歴を記録する（Ｓ１０２）。そして、着信処理の前に、現在の時刻情報から当該時刻テーブルのカウント値をカウントアップする（Ｓ１０３）。そして、着信がある、なしの区別を単位時間ごとに集計する。ここで、着信判定なしの時間帯が後述の制御回路のＯＮ／ＯＦＦ制御回路の設定時間に関連する。
【００３０】
図５は、ＯＮ／ＯＦＦ制御のタイマ時間を設定するためのテーブルであり、毎時間帯の着信履歴を算出するテーブルの一例を示している。図５に示すように毎時間ごとに着信履歴を記録する。着信履歴は、図４に示すフローで記録される。そして、その時間帯ごとに着信あり、なしを判定する。このテーブルで着信があった場合、特別な動作はしない。もし、着信判定なしの時間帯があった場合は、前述のテーブル２７からレジスタＸ２１に電源をＯＦＦにする時間、およびレジスタＹ２０へ電源をＯＮにする時間をそれぞれ設定する。
【００３１】
この図５に示す場合は、午前１時から午前６時までは着信がなかった場合の集計表を示すテーブルである。尚、図５は設定の一例である。すなわち、端末機種の機能に応じて、着信履歴の集計方法をさらに短く、例えば３０分単位、で行うとさらに詳細な制御を可能とする。
【００３２】
本発明の携帯端末装置は、常に着信履歴を集計している。そして、その履歴は決められた時間帯ごとに集計され、着信のある、なしを判定する。この結果から、当該時間帯が来たら、携帯端末装置を自動的にＯＦＦにし、また、当該時刻が来たら、携帯端末装置をＯＮすることが可能になる。これらの機能を動作させるには時計機能が必要であるが、本発明の携帯端末装置には、時計機能が搭載されているので、この時計機能を使用し、テーブルデータを育成し、インターバル回路のＯＮ／ＯＦＦ制御を行うことができる。但し、自分から相手方を呼び出す、あるいは他のＬＳＩからの割り込みがあった時は、この限りではない。
【００３３】
図６は、全体の動作を示すタイミングチャートである。ＯＮ／ＯＦＦ制御回路から出力される信号がコントロール信号である。このコントロール信号によって、次の段の制御回路が動作したり、停止したりする。このコントロール信号により電源がＯＮになったり、電源がＯＦＦになったりする。
【００３４】
ここでは、図５に示すとおり、ユーザの着信履歴を集計し割り出した結果に基づいて、制御した場合のタイミングチャートを示す。すなわち、テーブルの結果に従い、午前１時になると、ＯＮ／ＯＦＦ制御回路から出力されるコントロール信号がインアクティブになり、制御回路を停止させる。
【００３５】
このとき、間欠制御も同時停止する。そして、午前６時になるとＯＮ／ＯＦＦ制御回路から出力されるコントロール信号がアクティブになり制御回路を動作させ、間欠制御回路の動作が再開する。
【００３６】
【発明の効果】
以上の説明から明らかなように、請求項１記載の携帯端末装置によれば、ユーザ自身が自分の使用時間帯を把握した上で、予め電源オフにする時刻と電源をオンにする時刻を設定し、携帯端末内部の時計機能を参照しながら、電源をオフにする時刻になると携帯端末装置をオフにし、電源をオンにする時刻になると携帯端末装置をオンにする手段を有する携帯端末装置であって、ユーザの着信履歴を集計し、その履歴から使用しない時間帯を算出する手段を有し、電源をオフにする時間およびオンにする時間を自動的に設定し、切り替えすることを特徴としているので、効果的に消費電力の抑制ができ、また、ユーザが予め電源オン・オフ時刻を設定する操作を省略することを特徴としているので、ユーザにとって操作における利便性が図れる。
【００３７】
請求項２記載の携帯端末装置によれば、請求項１記載の携帯端末装置において着信判定は、間欠制御を使用することを特徴としているので、効果的に消費電力の抑制ができる。
【００３８】
請求項３記載の携帯端末装置によれば、請求項１記載の携帯端末装置において着信判定は、着信がない場合には一定の時間間隔で判定を繰り返し、着信がある場合には着信処理の前に、前記着信履歴を前記記憶手段に記録することを特徴としているので、効果的に消費電力の抑制ができる。
【００３９】
請求項４記載の携帯端末装置によれば、請求項１記載の携帯端末装置において算出手段は、時計手段の現在時刻から当該時刻テーブルのカウンタ値をカウントアップし、着信の有無の区別を単位時間ごとに集計することを特徴としているので、効果的に消費電力の抑制ができる。
【００４０】
請求項５記載の携帯端末装置によれば、請求項３記載の携帯端末装置において、着信判定は、着信がある場合には特別な動作をせず、着信がない場合は、電源をオフにする時間およびオンにする時間を設定することを特徴としているので、効果的に消費電力の抑制ができる。
【００４１】
請求項６記載の携帯端末装置によれば、請求項２記載の携帯端末装置において、間欠制御は、制御手段から出力されるコントロール信号によって停止・再開が行われることを特徴としているので、効果的に消費電力の抑制ができる。
【図面の簡単な説明】
【図１】本発明の一実施の形態を示す機能ブロック図である。
【図２】ＯＮ／ＯＦＦ制御を示すブロック図である。
【図３】制御回路の構成を示すブロック図である。
【図４】着信回数の算出フローチャートである。
【図５】間欠制御時間のテーブル図である。
【図６】全体の動作を示すタイミングチャートである。
【符号の説明】
１１  ＣＰＵ
１２  電源ＯＮ／ＯＦＦ回路
１３  制御回路
１４  ＢａｓｅＢａｎｄ
１５  ＴＲＸ
１６  アンテナ
１７  バッファ
１８  ＰＯＷＥＲ制御
２１  レジスタＸ
２２  比較器Ｘ
２３  スイッチ回路
２４  タイマＸ
２５  比較器Ｙ
２６  レジスタＹ
２７  テーブル
３１  タイマＢ
３２  レジスタＢ
３３  比較器Ｂ
３４  タイマＣ
３５  レジスタＣ
３６  比較器Ｃ
３８  スイッチＢ
【図１】
2004172982.tif 000003
【図２】
2004172982.tif 000004
【図３】
2004172982.tif 000005
【図４】
2004172982.tif 000006
【図５】
2004172982.tif 000007
【図６】
2004172982.tif 000008